(57)【要約】【課題】デジタルカメラで撮影された画像などのように、複数の画像を用紙に印刷して配布先ごとに排紙してユーザの仕分けの手間を低減するとともに、配布先間における印刷の順序を調整して印刷を効率的に行うこと。【解決手段】メモリに記憶された複数の画像を用紙に印刷して複数の配布先ごとに排紙するための画像出力方法であって、それぞれの配付先に必要な画像を当該配布先ごとにメモリから順次読み出して用紙に印刷を行うとともに、その際に、当該配布先用とその次の配布先用とに用いる同じ画像がある場合に（＃でイエス）、その同じ画像を当該配布先用としてその最後に印刷し且つ次の配布先用としてその最初に印刷するように順序を調整し（＃１６）、そして印刷を行う（＃１８）。【選択図】図１７
2007001252.tif 000002
【特許請求の範囲】
【請求項１】
メモリに記憶された複数の画像を用紙に印刷して複数の配布先ごとに排紙するための画像出力方法であって、
それぞれの前記配付先に必要な画像を当該配布先ごとに前記メモリから順次読み出して用紙に印刷を行うとともに、
その際に、当該配布先用とその次の配布先用とに用いる同じ画像がある場合に、その同じ画像を当該配布先用としてその最後に印刷し且つ次の配布先用としてその最初に印刷するように順序を調整して印刷を行う、
ことを特徴とする画像出力方法。
【請求項２】
当該配布先用とその次の配布先用とに用いる同じ画像が複数ある場合に、そのなかのＲＩＰ展開に最も時間を要する画像についてのみ、当該配布先用としてその最後に印刷し且つ次の配布先用としてその最初に印刷するように順序を調整する、
請求項１記載の画像出力方法。
【請求項３】
メモリに記憶された複数の画像を用紙に印刷して複数の配布先ごとに排紙するための画像出力装置であって、
それぞれの前記配布先用に必要な画像を前記メモリから読み出して用紙に印刷する印刷手段と、
同じ画像が互いに隣合う配布先においてそれぞれ用いられる場合に、その画像が隣合う配布先用の最後と最初に連続して印刷されるように、前記印刷手段による印刷の順序を調整する印刷順序調整手段と、
を有することを特徴とする画像出力装置。
【請求項４】
前記印刷順序調整手段は、前記隣合う配布先用の同じ画像が複数ある場合に、そのなかのＲＩＰ展開に最も時間を要する画像についてのみ、前記隣合う配布先用の最後と最初に連続して印刷されるように順序を調整する、
請求項３記載の画像出力装置。
【請求項５】
デジタルカメラで撮影された複数の画像を用紙に印刷して複数の配布先ごとに排紙するための画像出力装置であって、
前記デジタルカメラの記憶媒体から出力される画像および各画像の属性情報を記憶するメモリと、
前記記憶媒体から出力される画像または前記属性情報を表示する表示手段と、
それぞれの前記画像についての配布先をユーザが指定するための配布先指定手段と、
指定されたそれぞれの前記配布先用に必要な画像を前記メモリから読み出して用紙に印刷する印刷手段と、
同じ画像に対して互いに隣合う配布先が指定されている場合に、その画像が隣合う配布先用の最後と最初に連続して印刷されるように、前記印刷手段による印刷の順序を調整する印刷順序調整手段と、
印刷済みの用紙を配布先ごとに排紙する排紙手段と、
を有してなることを特徴とする画像出力装置。
【請求項６】
前記印刷順序調整手段は、前記隣合う配布先用の同じ画像が複数ある場合に、そのなかのＲＩＰ展開に最も時間を要する画像についてのみ、前記隣合う配布先用の最後と最初に連続して印刷されるように順序を調整する、
請求項５記載の画像出力装置。
【請求項７】
印刷順序調整手段は、前記デジタルカメラまたはその記憶媒体と当該画像出力装置とがネットワークを介することなく接続されている場合に前記印刷の順序の調整を行い、ネットワークを介して接続されている場合には前記印刷の順序の調整を行わない、
請求項５または６記載の画像出力装置。
【請求項８】
前記画像の印刷の際に前記属性情報に含まれる文字情報の当該用紙における印刷位置をユーザが指定するための印刷位置指定手段を有する、
請求項５ないし７のいずれかに記載の画像出力装置。
【請求項９】
前記文字情報は、前記配布先の名称、それぞれの前記画像のファイル名、または日付情報の少なくともいずれかを含む、
請求項８記載の画像出力装置。
【発明の詳細な説明】
【技術分野】
【０００１】
本発明は、直接にまたは間接に接続されたデジタルカメラの画像を用紙に印刷して複数の配布先ごとに排紙するために主として用いられ、デジタルカメラの画像の焼き増しを効率的に行うようにした画像出力方法および装置に関する。
【背景技術】
【０００２】
従来より、デジタルカメラで撮影した画像（写真）は、パーソナルコンピュータに接続された印刷装置（プリンタ）、または印刷装置単体、または複合機（ＭＦＰ）などの画像出力装置によって印刷することが可能である。
【０００３】
デジタルカメラから画像出力装置へのダイレクトプリントを行う際には、通常、焼き増しの指定を行い、サイズや枚数などを指定する。また、デジタルカメラの画像を印刷する際に、グループでの旅行写真や集合写真については、同じ写真をその希望者ごと（配布先ごと）に仕分けを行う必要がある。
【０００４】
つまり、従来においては、通常はデジタルカメラから送信される画像順に指定された枚数が順次印刷されるものであり、そのため、印刷が完了した後でユーザが手作業によって写真を配布先ごとに仕分けする必要があった。
【０００５】
これに対して、デジタルカメラで撮影された画像をデジタル複写機で印刷する際に、デジタルカメラに格納されたファイルのヘッダ情報、例えば記録日時などに基づいて画像を自動的にソートすることが提案されている（特許文献１）。また、複数のジョブの順序の調整のために、入力されたジョブのファイルのサイズ、処理予想時間、またはホストの残りメモリサイズなどの条件を考慮し、重み付けによって最適な処理順序またはスレッドを動作させることが提案されている（特許文献２）。
【特許文献１】特開２００２ー３６６８２
【特許文献２】特開平９ー２００４０４
【発明の開示】
【発明が解決しようとする課題】
【０００６】
しかし、上に述べた特許文献１では、例えば撮影した日付けごと、ファイル名ごとのように、同じグループごとに画像を印刷することはできるが、それだけにとどまり、それぞれのグループにおける印刷の順序については調整が行われていない。そのため、それぞれのグループにおいてはデジタルカメラから送信された順序で印刷が行われることとなり、印刷が効率的に行われるとはいえなかった。
【０００７】
また、特許文献２についても、ジョブの順序を調整するようにはなっているが、デジタルカメラで撮影した写真を印刷する場合においてそれぞれのジョブにおいてはデジタルカメラから送信された順序で印刷が行われることとなり、この場合にも印刷が効率的に行われるとはいえない。
【０００８】
本発明は、上述の問題に鑑みてなされたもので、デジタルカメラで撮影された画像などのように、複数の画像を用紙に印刷して配布先ごとに排紙してユーザの仕分けの手間を低減するとともに、配布先間における印刷の順序を調整して印刷を効率的に行うことを目的とする。
【課題を解決するための手段】
【０００９】
本発明に係る方法は、メモリに記憶された複数の画像を用紙に印刷して複数の配布先ごとに排紙するための画像出力方法であって、それぞれの前記配付先に必要な画像を当該配布先ごとに前記メモリから順次読み出して用紙に印刷を行うとともに、その際に、当該配布先用とその次の配布先用とに用いる同じ画像がある場合に、その同じ画像を当該配布先用としてその最後に印刷し且つ次の配布先用としてその最初に印刷するように順序を調整して印刷を行う。
【００１０】
そして、当該配布先用とその次の配布先用とに用いる同じ画像が複数ある場合に、そのなかのＲＩＰ展開に最も時間を要する画像についてのみ、当該配布先用としてその最後に印刷し且つ次の配布先用としてその最初に印刷するように順序を調整する。
【００１１】
本発明に係る装置は、メモリに記憶された複数の画像を用紙に印刷して複数の配布先ごとに排紙するための画像出力装置であって、それぞれの前記配布先用に必要な画像を前記メモリから読み出して用紙に印刷する印刷手段と、同じ画像が互いに隣合う配布先においてそれぞれ用いられる場合に、その画像が隣合う配布先用の最後と最初に連続して印刷されるように、前記印刷手段による印刷の順序を調整する印刷順序調整手段とを有する。
【００１２】
好ましくは、前記印刷順序調整手段は、前記隣合う配布先用の同じ画像が複数ある場合に、そのなかのＲＩＰ展開に最も時間を要する画像についてのみ、前記隣合う配布先用の最後と最初に連続して印刷されるように順序を調整する。
【００１３】
また、デジタルカメラで撮影された複数の画像を用紙に印刷して複数の配布先ごとに排紙するための画像出力装置であって、前記デジタルカメラの記憶媒体から出力される画像および各画像の属性情報を記憶するメモリと、  前記記憶媒体から出力される画像または前記属性情報を表示する表示手段と、それぞれの前記画像についての配布先をユーザが指定するための配布先指定手段と、指定されたそれぞれの前記配布先用に必要な画像を前記メモリから読み出して用紙に印刷する印刷手段と、同じ画像に対して互いに隣合う配布先が指定されている場合に、その画像が隣合う配布先用の最後と最初に連続して印刷されるように、前記印刷手段による印刷の順序を調整する印刷順序調整手段と、印刷済みの用紙を配布先ごとに排紙する排紙手段とを有してなる。
【００１４】
好ましくは、前記印刷順序調整手段は、前記隣合う配布先用の同じ画像が複数ある場合に、そのなかのＲＩＰ展開に最も時間を要する画像についてのみ、前記隣合う配布先用の最後と最初に連続して印刷されるように順序を調整する。
【００１５】
なお、印刷順序調整手段は、前記デジタルカメラまたはその記憶媒体と当該画像出力装置とがネットワークを介することなく接続されている場合に前記印刷の順序の調整を行い、ネットワークを介して接続されている場合には前記印刷の順序の調整を行わない。
【００１６】
また、前記画像の印刷の際に前記属性情報に含まれる文字情報の当該用紙における印刷位置をユーザが指定するための印刷位置指定手段を有する。
【００１７】
また、前記文字情報は、前記配布先の名称、それぞれの前記画像のファイル名、または日付情報の少なくともいずれかを含む。
【発明の効果】
【００１８】
本発明によると、デジタルカメラで撮影された画像などのように、複数の画像を用紙に印刷して配布先ごとに排紙してユーザの仕分けの手間を低減するとともに、配布先間における印刷の順序を調整して印刷を効率的に行うことができる。
【発明を実施するための最良の形態】
【００１９】
図１は本発明に係る印刷システム１の概略の構成を示すブロック図である。
【００２０】
図１において、印刷システム１は、管理者用のコンピュータ３や一般ユーザ用のコンピュータ４など複数台のコンピュータ、および複合機５などが、ネットワークＮＷで互いに接続されて構成されている。管理者用のコンピュータ（管理ＰＣ）３は、主にネットワークＮＷ上の各種周辺装置の状態管理などに使用される。一般ユーザ用のコンピュータ（クライアントＰＣ）４には、デジタルカメラ６ａが適当なインタフェースで接続されている。クライアントＰＣ４は、デジタルカメラ６ａからデジタルのカラー画像データを取り込み、また適当なメモリに保存することが可能である。
【００２１】
複合機５は、プリンタ機能のみを有するプリンタ、またはプリンタ機能、コピア機能、ファクシミリ機能、スキャナ機能、など、複数の機能を１台に備えた多機能型周辺装置である。
【００２２】
クライアントＰＣ４とデジタルカメラ６ａとの間はＵＳＢケーブルで接続されており、デジタルカメラ６ａに記憶されている画像データをネットワークＮＷ上にある各ＰＣから、複合機５へネットワーク経由で印刷ジョブを送信することにより、複合機５において印刷を実行することができる。
【００２３】
さらに、複合機５にもデジタルカメラ６ｂが接続されており、デジタルカメラ６ｂからデジタルのカラー画像データを取り込み、また適当なメモリに保存することが可能である。つまり、複合機５とデジタルカメラ６ｂとの間は、ＵＳＢケーブルで接続され、デジタルカメラ６ｂに記憶されている画像データをコンピュータやネットワークＮＷを介さずに複合機５に直接に送信してプリントアウトすることが可能な状態である。
【００２４】
なお、２つのデジタルカメラ６ａ，６ｂは同様な機能を有するので、これらの両方またはいずれか一方を「デジタルカメラ６」と記載することがある。また、画像データを単に「画像」と記載することがある。
【００２５】
図２はデジタルカメラ６の正面図、図３はデジタルカメラ６の背面図、図４はデジタルカメラ６の底面図、図５はデジタルカメラ６の電気的構成を示すブロック図である。
【００２６】
図２〜図５に示すように、デジタルカメラ６は、箱型のカメラ本体部７２と直方体状の撮像部７３とから構成されている。撮像部７３は、正面視においてカメラ本体部７２の右側面に着脱可能に取り付けられており、この右側面と平行な面内で回動可能である。
【００２７】
撮影部７３は、マクロズームからなる撮影レンズ、およびＣＣＤなどの光電変換素子からなる撮像装置を有する。被写体の光学像を、ＣＣＤの各画素で光電変換した電荷信号によって構成される画像に変換して取り込む。カメラ本体部７２は、ＬＣＤ（Liquid Crystal Display）からなる表示部８０、画像が記憶されたメモリカード（記録媒体）７８を装填する装填部８７、および外部機器を接続するための接続端子８３を有している。カメラ本体部は、主として撮像部７３で取り込まれた画像信号に所定の信号処理を施した後、表示部８０への表示、メモリカード７８への記録、複合機５への画像の出力および通信などの処理を行う。
【００２８】
デジタルカメラ６で撮影を行う際には、デジタルカメラ６を撮影モードに設定する。これによって、撮像部７３およびフォーカシング用の駆動部３８３などの撮像系に電力が供給され、光学系３７２により撮像部７３の撮像面に結像された被写体像がデジタル電気信号に変換され、信号処理部３７４において信号処理を行われた後に、表示制御部３７８を介して表示部８０に表示される。ユーザは、表示部８０の表示を見ながら被写体の構図などを決定する。
【００２９】
一方、信号処理部３７４の出力は全体制御部３７１にも入力され、焦点位置が適切であるか否かが判断され、適切でない場合には、フォーカシング用の駆動部３８３を制御して光学系３７２のフォーカシングレンズを駆動し、合焦位置になるように制御する。
【００３０】
そして、焦点位置や構図などが良好となってユーザが画像の記録を行うべくシャッタ７９を押下すると、信号処理部３７４からの出力が符号化／復号化部３７５により符号化され、画像ファイルが所定のフォーマットでメモリカード７８に記録される。その際に、画像ファイルには、撮影された画像と、その画像に対して規定されたコマ番号を含む付加データ（属性情報）とが、撮影データとして記録される。
【００３１】
デジタルカメラ６ｂで撮影した画像を複合機５にダイレクトに送信して印刷する場合は、次に説明するような処理が行われる。
【００３２】
すなわち、まず、図３に示すプリントスイッチ８２を押下して印刷設定を表示部８０に表示させる。ユーザは、所望の設定を選択してダイレクトプリントを実行することにより、印刷モード設定後に対応する画像がメモリカード７８から読み出され、符号化／復号化部３７５により復号化され、プリンタＩ／Ｆ３８０、外部接続端子８３、およびデータ転送ケーブル３８２を介して複合機５に出力される。複合機５は、デジタルカメラ６ｂから受信した画像を用紙（記録シート）に印刷する。
【００３３】
次に、デジタルカメラ６ｂの各種情報を管理ＰＣ３で取得するに至るまでの処理の流れについて説明する。
【００３４】
まず、複合機５にデジタルカメラ６ｂがデータ転送ケーブル３８２によって接続される。両デバイスは、例えばＵＳＢ（Universal Serial Bus）ケーブルで接続され、ＣＩＰＡ（camera & Imaging Pruducts Association ）規格（以下「PictBridge」という）の通信プロトコルにしたがって、双方の機器がPictBridge対応であることのネゴシエーション／双方のPictBridge対応機器が如何なるサービス機能を有しているかの確認、および、Server‐Client関係の確立／複合機Capabilityの確認などが実施され、デジタルカメラ６ｂから複合機５へのダイレクトプリントが可能な状態となる。このデータ転送ケーブル３８２によって接続された状態で、所定時間間隔でデジタルカメラ６ｂの情報を取得するコマンドを複合機５からデジタルカメラ６ｂに送信する。このコマンドを受信したデジタルカメラ６ｂは、自身の情報、例えば「バッテリ残量」「メモリ残量」「撮影済み画像枚数」などを複合機５に返信する。
【００３５】
管理ＰＣ３において複合機５から収集される管理情報は、用紙出力枚数（用紙サイズ毎／ユーザー毎／動作モード毎）、トナー残量、プリンタの各部品の使用回数、紙詰まり回数（ＪＡＭ回数）、プリンタの設定モード、プリンタの制御プログラムのバージョン、およびトラブル情報などが含まれており、これら複合機５そのものに関する管理情報の他に、上に述べたようにデジタルカメラ６ｂの情報（バッテリ残量、メモリ残量、撮影済み画像枚数など）が含まれることとなる。
【００３６】
したがって、管理情報収集プログラムの実行により、複合機５に接続されたデジタルカメラ６ｂの情報および状態が取得され、それらが管理可能となる。
【００３７】
また、本実施形態においては、ネットワークＮＷに接続された機器つまりこの例では複合機５に、デジタルカメラ６ｂを接続することになる。すなわち、複数のユーザが複合機５を含む印刷システム１を利用することになり、このことを想定した場合に、ダイレクトプリント実施時のセキュリティも考慮する必要がある。
【００３８】
具体例としては、複合機５とデジタルカメラ６ｂとのダイレクトプリントのための接続時に、デジタルカメラ６ｂの内部に記憶されているＩＤ値を読み出す。その後、デジタルカメラ６ｂは、ユーザにＩＤ値の入力を促す画面を表示部８０に表示する。全体制御部３７１は、ユーザが入力したＩＤ値と読み出したＩＤ値との比較を行い、両者が一致した場合に、それ以降のダイレクトプリント機能の使用を有効にする。もし、両者が一致しない場合には、それ以降のダイレクトプリント機能の使用をデジタルカメラ６ｂの側から禁止する。
【００３９】
図６は複合機５の外観を示す斜視図、図７は複合機５の機能的な構成を示すブロック図である。
【００４０】
図６において、複合機５は、スキャナ、複写機、プリンタ、ファックスなどの機能を有しており、ネットワークＮＷを介して他の種々の機器との間でデータの送受信が可能である。
【００４１】
複合機５は、複数、例えば３個以上のＵＳＢ（Universal Serial Bus）の差込口２０、２１、２２を有しており、ＵＳＢインターフェースを有する外部機器と接続することによって双方向のデータ通信が可能である。
【００４２】
複合機５は、操作部１１、ディスプレイ１２、スキャナ部１３、およびプリンタ部１４を備える。操作部１１は、複数のキー１１ａを備え、キー１１ａに対するユーザの操作によって、各種の指示、および文字や数字などのデータの入力を受付ける。操作部１１はユーザによる送信先の選択を含む種々の入力に用いられる。
【００４３】
ディスプレイ１２は、その表示面に後述する種々の画面ＨＧ１〜８を表示する他、ユーザに対する指示メニューや取得した画像に関する情報などの表示を行なう。また、データ送信の宛先の一覧表示を含む種々の表示に使用される。ディスプレイ１２および操作部１１は、ユーザインターフェイスの要部として機能する。
【００４４】
スキャナ部１３は、原稿を光学的に読取って画像データを取得する。つまり、写真、文字、絵などの画像情報を原稿から光電的に読取って画像データを取得する。取得された画像データ（濃度データ）は、図示しない画像処理部においてデジタルデータに変換され、公知の各種画像処理が施された後、プリンタ部１４や通信部１６に送られ、画像の印刷やデータの送信に供され、または後の利用のために記憶部２３に格納される。
【００４５】
プリンタ部１４は、受信した画像データに基づいて用紙上に画像を印刷する。つまり、スキャナ部１３により取得された画像データ、通信部１６によりデジタルカメラ６など種々の外部機器から受信した画像データ、または記憶部２３に格納されている画像データに基づいて、用紙上に画像を印刷する。
【００４６】
また、複合機５には、その本体上面に原稿をスキャナ部１３に送るフィーダ部１７が、下部にプリンタ部１４に記録シートを供給する給紙部１８が、中央部にプリンタ部１４により画像の印刷された用紙が排出されるトレイ１９が、それぞれ設けられている。
【００４７】
複合機５では、用紙に印刷が行われた順に、印刷済みの用紙がトレイ１９上に排紙される。印刷がグループごとに行われた場合には、第１のグループ、第２のグループ、第３のグループというように、各グループ内での印刷の順にトレイ１９上に用紙が排紙され、且つグループの順に用紙が順次積み重ねて排紙される。この場合に、各グループにわたって用紙が積み重ねられてはいるが、グループ順に印刷されて排紙されているので、グループごとのユーザによる仕分けは容易である。また、排紙される各グループごとに排紙の向きを変えたり、排紙される各グループの間に色や材質の異なる用紙を挟んだり、その他の種々の公知の手段によって、印刷済み用紙に対してグループ間で区切りを付けるようにしてもよい。また、後で述べるフィニッシャ部１０７を有することによって、排紙のための複数のトレイが備えられ、グループごとにそれぞれのトレイに排紙することが可能となる。      
【００４８】
また、複合機５の内部には、ネットワークＮＷを介して外部機器と画像などの送受信を行う通信部１６、および画像などを記憶する記憶部２３が備えられている。
【００４９】
通信部１６は、公衆電話回線を介してファクシミリデータの送受信を行なう他、ＬＡＮ、インターネットなどのネットワークを介して、ネットワークに接続される外部機器との間で電子メールなどを用いてデータの送受信を行う。
【００５０】
なお、図示は省略したが、複合機５はネットワークインターフェイスを有し、通信部１６は外部機器との間で各種データの送受信が可能なようにネットワークインターフェイスを介してネットワークに接続されている。
【００５１】
このように、本実施形態の複合機５は、通常のファクシミリ通信を行なうファクシミリ装置としての機能のみならず、電子メールの送受信端末としての機能も有する。したがって、電子メールの添付ファイルとして、各種画像データを送受信することもできる。なお、複合機５が行なうネットワーク通信は有線でもよく無線でもよいが、図示される例では有線による通信方式が採用されている。
【００５２】
図７において、複合機５は、情報処理部１０１、ファクシミリ部１０２、通信制御部１０３、給紙手段１０４、画像読み取り部１０５、画像形成手段１０６、およびフィニッシャ部１０７を有する。
【００５３】
情報処理部１０１は、情報処理手段の一例であり、データ入出力手段１０８、データ通信制御部１０９、操作部１１０、制御装置１１１、不揮発メモリ１１２、画像メモリ１１３、および表示部１１４を有する。情報処理部１０１では、画像メモリ１１３に格納されたＪＯＢの削除、および出力などの制御を行うことが可能である。
【００５４】
フィニッシャ部１０７では、画像形成手段１０６で印刷された印刷済みの用紙に対して、ソーティングまたはグルーピングなどの種々のフィニッシュ処理を行うことができる。なお、図６においてフィニッシャ部１０７の図示は省略されている。
【００５５】
制御装置１１１には、データ入出力手段１０８が接続されており、ＪＯＢを入出力する際に使用される。データ入出力手段１０８には、ＴＣＰ／ＩＰベースのネットワークのＬＡＮ（Local Aria Network）端子１１５、ＵＳＢ端子１１６、セントロニクス端子３１７、シリアルインタフェース端子１１８、およびＪＴＡＧ端子１１９などののインタフェース（Ｉ／Ｆ）端子が必要に応じて複数設けられる。
【００５６】
データ入出力手段１０８では、ネットワーク端子１１５、ＵＳＢ端子１１６、セントロニクス端子１１７、シリアルインタフェース端子１１８、またはＪＴＡＧ端子１１９に接続された場合に、制御装置１１１によりデータの読み出し、書き込み、および削除を行うことが可能である。また、画像メモリ１１３においてはメモリ間でのコピーが可能である。
【００５７】
本実施形態においては、ＵＳＢ端子１１６として１個以上つまり複数の差込口があり、ＵＳＢメモリ１２０，１２１、およびデジタルカメラ６ａを装着可能である。デジタルカメラ６を接続することによって、上に述べたようにダイレクトプリントが可能である。なお、デジタルカメラ６から送信される画像および属性情報を記憶するためのメモリとして、例えば、上に述べた記憶部２３、または、画像メモリ１１３、制御装置１１１内のＲＡＭ、その他のメモリまたは記憶装置を利用することが可能である。
【００５８】
図８複合機５における操作パネルＳＰの構成を示す図、図９〜図１６は操作パネルＳＰの設定画面領域４０７に表示される画面ＨＧの例を示す図である。
【００５９】
図８において、スタートキー４０１は、コピー／ファックス送信などの動作を開始させるために用いられる。テンキー４０２は、コピー枚数などの数値を入力するために用いられる。クリアキー４０３は、入力された数値のクリア、および蓄積された画像記憶部の画像データを破棄するために用いられる。ストップキー４０４は、コピー／スキャン動作の停止を指示するために用いられる。パネルリセットキー４０５は、設定されているモードおよびジョブを破棄するために用いられる。また、ＬＣＤ４０６は、各種モードにおける画面ＨＧの表示を行なうものであり、その表面にはタッチパネルが取り付けられている。タッチパネルによって、ユーザはＬＣＤ４０６の表示内容にしたがった各種設定を行うことができる。
【００６０】
タッチパネルにおける設定画面領域４０７には、コピー動作やファックス送信動作を実行する際に行う基本的／応用的な設定のための各種ボタンが配置（表示）される。図８の例では、「基本」「原稿→コピー」「濃度／写真」「応用」「オートカラー」「原稿混載」などのボタンが表示されている。各ボタンを押下する（タッチする）と、その詳細設定を行うための階層画面が表示される。
【００６１】
タッチパネルのジョブ情報画面領域４０８には、その時点で複合機５に投入されているジョブ情報が表示される。図８の例では、「ジョブ確認」「ジョブ操作」などのボタン、および「１」「２」「３」などのジョブ番号ボタンが表示され、また、「登録元」「状態」「終了」「コピー」「プリント待ち」「１１：１２」などのジョブ情報が表示されている。図８に示すように、実行されるべきジョブの順序で並んで表示される。特定のジョブに対して消去や変更などの操作を行う場合は、ジョブ操作ボタン４０９を選択した後、操作対象となるジョブ番号ボタンを押下する。これらの操作によってジョブ操作画面が表示され、特定のジョブに対する操作が可能となる。
【００６２】
コピーキー４１０およびスキャンキー４１１は、複合機５をコピー／スキャナのいずれのモードで動作させるかを設定するための選択キーである。コピーキー４１０を押下した場合には、複合機５はコピアとして使用可能となる。この状態では、スキャナ動作、およびファックス送信動作を実行することはできない。このとき、タッチパネルの設定画面領域４０７には、コピー動作に対する各種設定を行うための表示が行われる。諸設定を終了後、原稿をセットしてスタートキー４０１を押下することにより、コピー動作が開始される。また、スキャンキー４１１を押下した場合に、複合機５はスキャナおよびファックス送信機となる。この状態では、コピー動作を実行することはできない。このとき、タッチパネルの設定画面領域４０７には、スキャン動作／ファックス送信に対する各種設定を行うための表示が行われる。諸設定を終了後、原稿をセットしてスタートキー４０１を押下することにより、スキャン動作／ファックス送信動作が開始される。
【００６３】
なお、コピーキー４１０とスキャンキー４１１は排他的動作となり、一方を選択すると自動的に他方は非選択状態となる。
【００６４】
また、各ＰＣから複合機５を使用してプリントする場合には、ＰＣにこのプリンタ制御用ドライバソフトをインストールし、プリントの際の各種設定はそのドライバ画面にて行う。したがって、複合機５の操作パネル上に、プリント用設定画面およびプリント切り換えキーは不要である。また、オプションキーまたは表示部４２１などには「ＵＳＢメモリ」「配布先順」などが表示される。
【００６５】
図９において、設定画面領域４０７には、デジタルカメラ６ｂから複合機５に画像データを送信した際に表示される配布先順出力機能画面ＨＧ１が表示されている。
【００６６】
ＵＳＢインタフェースで接続されたダイレクトプリント、およびネットワーク接続されたＰＣを介してのネットワークプリントにより、デジタルカメラ６ｂから複合機５にプリント指示されると、設定画面領域４０７はこの配布先順出力機能画面ＨＧ１へ移行する。
【００６７】
この画面ＨＧ１では、「ＤＳＣ（デジタルスチルカメラ）からのプリント画像があります。配布先順出力機能を使用しますか？」とのメッセージが表示され、ＹｅｓボタンおよびＮｏボタンが表示される。画面ＨＧ１において、焼き増しプリントの配布先順出力機能を選択した場合、つまりＹｅｓボタンを押下した場合には、図１０に示すように、デジタルカメラ６ｂから受信した画像データのプリント順序を配布先毎に並べ替えるための配布先順出力設定画面ＨＧ２へ移行する。
【００６８】
図１０において、配布先順出力設定画面ＨＧ２では、「配布先数／配布先名を指定してください」とのメッセージ、配布先などの登録画面として配布先配数ボックスＨＳＢおよび配布先名ボックスＨＭＢが表示されている。ユーザは、配布先配数ボックスＨＳＢに登録する配布先数を、配布先名ボックスＨＭＢに１つまたは複数の配布先名を入力して指示する。その際に、配布先数はテンキー４０２で指定する。また配布先名はテンキー４０２で数値を指定しても良いし、またはＵＳＢ端子１１６にキーボードを接続して文字入力することも可能である。なお、配布先名ボックスＨＭＢの個数は配布先数の入力値と連動しており、入力された配布先数に応じて自動的に増減する。
【００６９】
配布先数および配布先名の入力が終わって「次へ」ボタンを押下すると、図１１に示すように、配布先割振り画面ＨＧ３が表示される。
【００７０】
図１１において、配布先割振り画面ＨＧ３では、「各画像の配布先を指定して下さい」とのメッセージ、および、デジタルカメラ２６０からプリント指示された各画像について、「ＦＩＬＥ００１」「ＦＩＬＥ００２」などの画像ファイル名、サムネイル表示（縮小表示）された画像、プリント枚数、および配布先が表示されている。ここで、画像ファイル名、プリント枚数、配布先などは、画像についての属性情報であり、属性情報も画像とともに表示される。
【００７１】
このように、配布先割振り画面ＨＧ３において、ユーザは、デジタルカメラ６ｂからの各画像を、先に登録したいずれの配布先に割り振るかを決め、入力することにより指定する。図１１の画面ＨＧ３においては、画像ファイル名「ＦＩＬＥ００１」について、配布先１には１枚、配布先２には１枚、配布先３には０枚で、プリント枚数は計２枚と指定されている。
【００７２】
配布先の割り振りが終わると、図１２に示すように、優先モード指定画面ＨＧ４が表示させる。図１２において、優先モード指定画面ＨＧ４では、「優先モードを指定して下さい」とのメッセージ、および、速度優先ボタン、出力順優先ボタンなどが表示されている。この画面ＨＧ４において、ユーザは、プリント順序の効率的な配置換えを行うか否かの設定を行う。つまり、デジタルカメラ６ｂと複合機５とをダイレクトに接続してプリントする場合に、効率化を優先させる「速度優先」モード、またはデジタルカメラ６ｂからの送信順を優先させる「出力順優先」モードのいずれかを、ユーザが選択可能である。
【００７３】
一方、ネットワーク接続されたクライアントＰＣ４に接続されているデジタルカメラ６ａからプリント要求が発せられた場合は、出力時間の効率化がさほど重要視されないことが多いため、上に述べたプリント順序の効率的な配置換えを行うか否かの設定を省略する構成にしても良い。その場合に、例えば「出力順優先」モードに自動的に設定されるようにし、画面ＨＧ４で「出力順優先」モードが設定された旨を表示するかまたは画面ＨＧ４を省略してもよい。
【００７４】
また、文字合成機能に関して、図１３〜図１６に示すように、文字合成指定画面ＨＧ５、パターン選択画面ＨＧ６、合成位置選択画面ＨＧ７、表裏選択画面ＨＧ８などが表示可能である。
【００７５】
文字合成機能によって、配布先単位で同一の文字情報を出力画像に入れ込むことが可能である。本実施形態においては、文字パターン（ファイル名、配布先名、日付など）の指定、プリント位置（用紙の右上、中央上、左上、右下、中央下、左下など）の指定、裏面印字が可能な複合機の場合は表裏（表、裏）指定を、ユーザが好みに応じて行うことができる。
【００７６】
すなわち、ユーザは、図１３の画面ＨＧ５において、文字合成機能を使うか否かを設定する。図１４の画面ＨＧ６において、文字情報として、配布先の名称、画像ファイル名、または日付や時刻などの日付情報などを選択する。これらの文字情報も、画像についての属性情報である。図１５の画面ＨＧ７において、文字情報の用紙における印刷位置を指定する。例えば、左上、中央上、右上、左下、中央下、右下などの各ボタンを押下することによって指定する。図１６の画面ＨＧ８において、文字情報を用紙の表裏のいずれに印刷するかを選択して指定する。
【００７７】
また、図９に示す画面ＨＧ１において、焼き増しプリントの配布先順出力機能を選択しない場合、つまりＮｏボタンを押下した場合には、配布先順出力設定画面ＨＧ２などの配布先順出力機能のための各設定画面へは移行せず、印刷のための画像の並び替えは実行されない。この場合には、印刷の順序は、デジタルカメラ６ｂからの画像送信順となり、デジタルカメラ６ｂから送信されてきた画像の順に印刷が実行される。
【００７８】
図１７は複合機５における印刷出力処理を示すフローチャートである。図１７では、複合機５がデジタルカメラ６ａからプリントデータを受信し、画像データの並び替え処理を終えるまでが示されている。
【００７９】
図１７において、まず、デジタルカメラ６から複合機５に対してプリント指示が発行され、ユーザ指定された画像データがデジタルカメラ６から複合機５に送信される。このとき、複合機５は、画像データの送信を実行したデジタルカメラ６が、複合機５とダイレクトに接続されたものか（ダイレクトプリント）、またはネットワークＮＷに接続されたクライアントＰＣ４を経由したものか（ネットワークプリント）を識別する（＃１１）。ダイレクトプリントである場合は（＃１１でイエス）、配布先間での画像データの並び替え処理へ移行する（＃１２）。ネットワークプリントの場合は（＃１１でノー）、配布先間での画像データの並び替え処理をスキップする。
【００８０】
すなわち、ダイレクトプリントであった場合に、プリント速度の向上のための画像データの並び替えを行うか否かをユーザ設定にしたがって処理分岐する（＃１２）。「速度優先」モードが設定された場合には（＃１２でイエス）、さらに速度向上の条件を加える処理へ進む（＃１３以降）。「出力順優先」モードが設定された場合には（＃１２でノー）、配布先間での画像データの並び替え処理をスキップし、プリント開始処理へ移行する（＃１８）。
【００８１】
ダイレクトプリントであり且つ「速度優先」モードが設定された場合には、隣合う（隣接する）２つの配布先、例えば配布先Ａと配布先Ｂとの間で、共通の画像（共通画像）が存在するか否かを判断する（＃１３）。共通の画像が存在する場合には（＃１３でイエス）、さらに処理速度を向上させて効率的に行うための条件を加える処理へ進む（＃１４以降）。共通の画像が存在しない場合には（＃１３でノー）、この２つの配布先間での画像データの並び替え処理はスキップし、次の隣合う２つの配布先、例えば配布先Ｂと配布先Ｃとの間での共通画像の有無をチェック（検査）する処理へ進む（＃１７）。
【００８２】
ダイレクトプリントであり且つ「速度優先」モードが設定され、しかも隣合う２つの配布先間で共通画像が存在する場合には、共通画像が２つ以上（複数個）存在するか否かを判断する（＃１４）。共通画像が１つであった場合には、その共通画像を、当該配布先用としてその最後に印刷し、且つ次の配布先用としてその最初に印刷するように順序を並べ替える（＃１６）。つまり、隣合う２つの配布先が配布先Ａと配布先Ｂである場合に、配布先Ａでは共通画像が最後の画像となるように、配布先Ｂでは共通画像が最初の画像となるように、印刷する画像の順序を調整する。この処理を、印刷順序調整処理または印刷順序並べ替え処理などという。
【００８３】
具体的には、例えば、配布先Ａにおいては、配布先Ａのプリントジョブの最後に共通画像のプリント順序を移動させる処理を行い、配布先Ｂにおいては、配布先Ｂのプリントジョブの最初に共通画像のプリント順序を移動させる処理を行う。この処理によって、少なくとも配布先Ａの最後のプリントジョブと配布先Ｂのプリントジョブの最初が同一の画像となり、複合機５のプリンタの内部の処理において、並び替えを行わない場合と比べて１回分のＲＩＰ展開処理が少なくなり、プリント処理時間が短縮される。この処理が終了した後、次の隣合う２つの配布先（配布先Ｂと配布先Ｃ）間での共通画像をチェック（抽出）する処理へ進む（＃１７）。
【００８４】
ダイレクトプリントであり且つ「速度優先」モードが設定され、隣合う２つの配布先間で共通画像が存在し、さらに共通画像が２つ以上（複数）存在する場合には（＃１４でイエス）、それら複数の共通画像に対して、複合機５はＲＩＰ展開処理に要するおおよその時間を試算し、最も時間を要すると判断される画像を抽出する（＃１５）。そして、抽出された画像を並び替えの対象としての最終的な共通画像と決定し、上と同様に、配布先間での画像並び替え処理を行う。
【００８５】
すなわち、配布先Ａにおいては、配布先Ａのプリントジョブの最後に共通画像のプリント順序を移動させる処理を行い、配布先Ｂにおいては、配布先Ｂのプリントジョブの最初に共通画像のプリント順序を移動させる処理を行う（＃１６）。この処理が終了した後、次の配布先Ｂと配布先Ｃとの間での共通画像をチェックする処理へ進む（＃１７）。
【００８６】
全ての処理が終了すると（＃１７でイエス）、実際のプリント実行処理へ移行する（＃１８）。
【００８７】
なお、図１７のフローチャートでは、画像並び替え処理を行って全部の画像についての順序を決定した後でまとめて印刷を開始するように示されている。しかし、実際にそのようにしてもよいし、また、各配布先単位または２つ１組の配布先単位で画像並び替え処理を行って、配布先単位でまたは２つ１組の配布先単位で、印刷を開始してもよい。また、メモリから画像を読み出しながら、適宜、印刷順序調整処理を行って印刷を開始してもよい。
【００８８】
図１８は画像の並び替えなどの処理が全て終了した後のプリント処理を示すフローチャートである。
【００８９】
図１８において、まず、複合機５は、ユーザ設定において文字合成機能が設定されているか否かの判断を行う（＃２１）。文字合成機能が設定されている場合には（＃２１でイエス）、さらにプリント時の条件を調べる（＃２２以降）。文字合成機能が設定されていない場合には、プリント処理へ移行し、用紙の表面に画像を印刷する（＃２４）。
【００９０】
つまり、文字合成機能がＯＮの場合に、文字出力が用紙の表面または裏面のいずれに設定されているかを識別する（＃２２）。表面であった場合には（＃２２でイエス）、図１５の画面ＨＧ７で設定された文字合成位置情報と合わせて、文字情報と画像データとを合成する処理を行い（＃２３）、プリント処理へ移行して合成された文字情報および画像データを用紙の表面に印刷する（＃２４）。文字出力が用紙の裏面に設定されていた場合には（＃２２でノー）、文字情報と画像データとの合成を行うことなくプリント処理へ移行する（＃２４）。
【００９１】
１枚のプリント処理を終了した後で、文字合成において裏面と設定されていた場合に（＃２５でイエス）、両面印字ユニットで用紙を反転させ、裏面に文字情報をプリントする（＃２６）。
【００９２】
上に述べた処理を、指定された画像データの数および指定枚数の分だけ繰り返す（＃２７）。
【００９３】
次に、印刷順序並べ替え処理の具体例について説明する。
【００９４】
図１９〜図２０は印刷順序並べ替え処理の具体例を説明するための図、図２１は印刷順序並べ替え処理を行わない場合の例を示す図である。
【００９５】
図１９〜図２１においては、左端に複数の異なる画像（写真Ａ〜Ｆ）が縦方向に配置され、それぞれについてＲＩＰ展開処理に要する時間の相対的な長短が示されている。その右側に、被写体であった５人の人物ａ〜ｅが示されており、それぞれの人物ａ〜ｅが配布先Ａ〜Ｅとなる。各配布先Ａ〜Ｅについて、それぞれの右側に、配布すべき画像（写真Ａ〜Ｆ）が横方向に配置されて示されており、且つ印刷の順番も示されている。なお、写真Ａ，Ｂ，Ｃ，Ｄ，Ｅ，Ｆは、この順でデジタルカメラ６のメモリカード７８に記録（格納）されており、且つ、この順に複合機５のメモリに転送されて記憶される。これについては、上に述べた「出力順優先」モードの場合と同様である。そして、印刷のために、複合機５のメモリからは原則としてこれと同じ順序で画像が読み出されてＲＩＰ展開処理される。しかし、配布先間において共通画像が存在する場合には、印刷順序調整処理が行われ、複合機５のメモリから読み出される順序が並び替えられる。
【００９６】
図１９は、隣接する各配布先の間で出力指定された画像に同一の画像（共通画像）が存在した場合に、印刷データのスケジューリングを行い、第１の配布先（配布先Ａ）の最後と第２の配布先（配布先Ｂ）の最初とにその共通画像が連続して印刷されるように順番を並び替える例を示す。
【００９７】
すなわち、まず、配布先Ａにおいて、読み出しの原則にしたがって、写真Ａ、Ｄ，Ｅ，Ｆがこの順に読み出されて印刷され排紙される。次に、配布先Ｂにおいて、配布先Ａの最後に読み出された写真Ｆが共通画像として存在するので、最初に写真Ｆが読み出され、その後は読み出しの原則にしたがって、写真Ｂ、Ｃ，Ｄがこの順に読み出され、それぞれ印刷されて排紙される。
【００９８】
そして、配布先Ｃにおいて、配布先Ｂの最後に読み出された写真Ｄが共通画像として存在するので、最初に写真Ｄが読み出され、その後は同様に、写真Ｂ、Ｅ，Ｆの順に読み出されて印刷される。配布先Ｄにおいて、配布先Ｃの最後に読み出された写真Ｆが最初に読み出され、その後に写真Ｃ、Ｄが読み出される。配布先Ｅにおいて、配布先Ｄの最後に読み出された写真Ｄが最初に読み出され、その後に写真Ｅ、Ｆが読み出される。
【００９９】
このように、同じ画像が互いに隣合う配布先にある場合に、その画像が隣合う配布先用の最後と最初に連続して印刷されるように並び替えられる。これによって、ＲＩＰ展開処理が少なくなって印刷に要する処理時間が短縮される。
【０１００】
図２０は、隣接する各配布先の間で出力指定された画像に同一の画像が複数存在した場合に、印刷のための処理時間が最も短くなるようにスケジューリングを行って画像の順番を並び替えた例を示す。
【０１０１】
すなわち、まず、配布先Ａと配布先Ｂとに注目する。配布先Ａと配布先Ｂとにおいて出力指定された画像のうち、共通画像は写真ＤおよびＦである。つまり、共通画像が複数存在する。写真ＤのＲＩＰ時間は「中」であり、写真ＦのＲＩＰ時間は「小」であるので、これらのうち、ＲＩＰ展開処理に最も時間を要する画像は写真Ｄということになり、写真Ｄが最終的な共通画像として決定される。
【０１０２】
したがって、配布先Ａにおいて、最後に写真Ｄがくるように、写真Ｄと写真Ｆとの読み出しの順番を入れ替える。その結果、写真Ａ、Ｆ，Ｅ，Ｄがこの順に読み出されて印刷される。
【０１０３】
次に、配布先Ｂと配布先Ｃとに注目する。配布先Ｂと配布先Ｃとにおいて、共通画像は複数あって写真ＢおよびＤである。しかし写真Ｄは配布先Ａとの間での共通画像とされているので、これを除いて写真Ｂが共通画像と決定される。
【０１０４】
したがって、配布先Ｂにおいて、最初に写真Ｄがくるように、且つ最後に写真Ｂがくるように、写真の読み出しの順番を入れ替える。その結果、写真Ｄ、Ｆ，Ｃ，Ｂがこの順に読み出されて印刷される。
【０１０５】
このように、互いに隣合う配布先に同じ画像が複数ある場合に、ＲＩＰ展開処理に最も時間を要する画像を抽出して共通画像と決定し、決定した共通画像が隣合う配布先用の最後と最初に連続して印刷されるように並び替えられる。これによって、印刷処理に要する時間がさらに短縮される。
【０１０６】
図２１は、例えば、デジタルカメラ６ａがネットワークＮＷを経由して複合機５に接続された場合であって、印刷順序調整処理を行うことなく、原則に沿ってデジタルカメラ６ａに記録された順序で写真が読み出されて印刷される。
【０１０７】
すなわち、配布先Ａにおいて、「出力順優先」モードの場合の読み出しの原則にしたがって、写真Ａ、Ｄ，Ｅ，Ｆがこの順に印刷される。次に、配布先Ｂにおいても同様に、写真Ｂ、Ｃ，Ｄ，Ｆがこの順に印刷される。配布先Ｃにおいても同様に、写真Ｂ、Ｄ，Ｅ，Ｆがこの順に印刷される。
【０１０８】
このように、デジタルカメラ６ａがネットワークＮＷを経由して接続されている場合には、自動的に出力モードを切り替え、画像の出力順序の移動処理を行わず、原則に沿った通常の印刷順を保持する。したがって、画像の順序の並び替えのための処理が行われないので、ネットワークＮＷを経由した通信の量が軽減されることとなる。
【０１０９】
上に述べたように、本実施形態によると、デジタルカメラ６で撮影された画像などのように、複数の画像を用紙に印刷して配布先ごとに排紙してユーザの仕分けの手間を低減することができる。しかも、配布先間において印刷の順序を調整してＲＩＰ展開処理に要する時間を短縮するので、印刷を効率的に行うことができる。また、文字情報と画像データとを合成する処理を行って用紙に印刷することにより、各画像についての属性情報などを用紙上で確認することができる。文字情報として、配布先の名称、画像ファイル名、または日付や時刻などの日付情報などを使用することにより、ユーザの要望に応じた情報を付加することができる。
【０１１０】
本実施形態では、デジタルカメラ６で撮影した画像を印刷のために処理を行う場合について説明したが、デジタルカメラ６以外によって得られた画像、例えばスキャナでスキャンした画像、ネットワークや適当なインタフェースを経由してダウンロードした画像、種々の記録媒体からコピーした画像、作成してメモリに格納した画像など、種々の複数の画像について、それを複合機５内の適当なメモリに記憶しておき、それを読み出して用紙に印刷し、複数の配布先ごとに排紙するために適用可能である。
【０１１１】
その他、複合機５、デジタルカメラ６、または印刷システム１の全体または各部の構成、回路、処理内容、処理順序、処理タイミング、画像の内容、属性情報の内容などは、本発明の趣旨に沿って適宜変更することができる。
【産業上の利用可能性】
【０１１２】
本発明は、デジタルカメラの画像の焼き増しを効率的に行うために利用可能である。
【図面の簡単な説明】
【０１１３】
【図１】本発明に係る印刷システムの概略の構成を示すブロック図である。
【図２】デジタルカメラの正面図である。
【図３】デジタルカメラの背面図である。
【図４】デジタルカメラの底面図である。
【図５】デジタルカメラの電気的構成を示すブロック図である。
【図６】複合機の外観を示す斜視図である。
【図７】複合機の機能的な構成を示すブロック図である。
【図８】複合機における操作パネルの構成を示す図である。
【図９】操作パネルの設定画面領域に表示される画面の例を示す図である。
【図１０】操作パネルの設定画面領域に表示される画面の例を示す図である。
【図１１】操作パネルの設定画面領域に表示される画面の例を示す図である。
【図１２】操作パネルの設定画面領域に表示される画面の例を示す図である。
【図１３】操作パネルの設定画面領域に表示される画面の例を示す図である。
【図１４】操作パネルの設定画面領域に表示される画面の例を示す図である。
【図１５】操作パネルの設定画面領域に表示される画面の例を示す図である。
【図１６】操作パネルの設定画面領域に表示される画面の例を示す図である。
【図１７】複合機における印刷出力処理を示すフローチャートである。
【図１８】プリント処理を示すフローチャートである。
【図１９】印刷順序並べ替え処理の具体例を説明するための図である。
【図２０】印刷順序並べ替え処理の具体例を説明するための図である。
【図２１】印刷順序並べ替え処理を行わない場合の例を示す図である。
【符号の説明】
【０１１４】
１  印刷システム
５  複合機（画像出力装置）
６  デジタルカメラ
１１  操作部
１２  ディスプレイ（表示手段）
１４  プリンタ部（印刷手段）
１９  トレイ
２３  記憶部（メモリ）
７８  メモリカード（記憶媒体）
１１１  制御装置（印刷順序調整手段）
１１３  画像メモリ（メモリ）
４０７  設定画面領域（配布先指定手段）
ＳＰ  操作パネル（配布先指定手段）
ＨＧ２  配布先順出力設定画面（配布先指定手段）
ＨＧ３  配布先割振り画面（配布先指定手段）
ＨＧ６  画面（印刷位置指定手段）
ＨＧ７  画面（印刷位置指定手段）
ＨＧ８  画面（印刷位置指定手段）
ＮＷ  ネットワーク
【図１】
2007001252.tif 000003
【図２】
2007001252.tif 000004
【図３】
2007001252.tif 000005
【図４】
2007001252.tif 000006
【図５】
2007001252.tif 000007
【図６】
2007001252.tif 000008
【図７】
2007001252.tif 000009
【図８】
2007001252.tif 000010
【図９】
2007001252.tif 000011
【図１０】
2007001252.tif 000012
【図１１】
2007001252.tif 000013
【図１２】
2007001252.tif 000014
【図１３】
2007001252.tif 000015
【図１４】
2007001252.tif 000016
【図１５】
2007001252.tif 000017
【図１６】
2007001252.tif 000018
【図１７】
2007001252.tif 000019
【図１８】
2007001252.tif 000020
【図１９】
2007001252.tif 000021
【図２０】
2007001252.tif 000022
【図２１】
2007001252.tif 000023